(57)【要約】【課題】フランジ管に対する管継手を迅速に連結する装置を提供する。【解決手段】この装置は、フランジ管の端末フランジ（１２）の前面に軸方向に接近可能であるように継手の一方の端部（１）に堅固に固定した接続プレート（１３）と、それ自身の軸周りに回転し、円周上の離れた位置で前記プレート（１３）から前面に突出するクランプホイール（１５）であって、各クランプホイール（１５）は連結器の軸に向く弦のある角度位置を可能にし、他の角度位置を全てを防ぐように、円の１つの弦に沿ったカット部（２４）を有する円形をなし、前記プレート（１３）および前記フランジ（１２）が相互に近づき離れるための前記ホイール（１５）間にフランジ管のフランジ（１２）の通路を設け、各クランプホイール（１５）はさらに前記プレート（１３）に向かって螺旋ネック部（２５）を有し、前記螺旋ネック部（２５）は前記ホイール（１５）が前記角度位置から前記他の角度位置へ回転する結果として前記プレート（１３）に対する前記フランジ（１２）の前面当接嵌合及び締め付けを生ずるクランプホイール（１５）とを備え、各ホイール（１５）は前記プレート（１３）と一体となったブロック（８０）が支持する外部制御手段と接続可能な無端ピニオンネジユニット（１９）により制御される。【選択図】図３
2008525732.tif 000002
【特許請求の範囲】
【請求項１】
管継手をフランジ管に迅速に連結する装置であって、
前記フランジ管の端末フランジ（１２）の前面に軸方向に接近可能であるように前記継手の一方の端部（１）に堅固に固定した接続プレート（１３）と、
それ自身の軸周りに回転し、円周上の離れた位置で前記プレート（１３）から前面に突出するクランプホイール（１５）であって、各クランプホイール（１５）は連結器の軸に向く弦のある角度位置を可能にし、他の角度位置をすべて防ぐように、円の１つの弦に沿ったカット部（２４）を有する円形をなし、前記プレート（１３）および前記フランジ（１２）が相互に近づき離れるための前記ホイール（１５）間にフランジ管のフランジ（１２）の通路を設け、各クランプホイール（１５）はさらに前記プレート（１３）に向かって螺旋ネック部（２５）を有し、前記螺旋ネック部（２５）は前記ホイール（１５）が前記角度位置から前記他の角度位置へ回転する結果として前記プレート（１３）に対する前記フランジ（１２）の前面当接嵌合及び締め付けを生ずるクランプホイール（１５）とを備え、
各ホイール（１５）は前記プレート（１３）と一体となったブロック（８０）が支持する外部制御手段と接続可能な無端ピニオンネジユニット（１９）により制御されることを特徴とする装置。  
【請求項２】
前記各無端ピニオンネジユニット（１９）は前記ホイール（１５）のステム（８２）に固定され、前記ステム（８２）に直角な軸を有するウォームネジ（８３）とかみ合うピニオン（８１）を備え、前記ステム（８２）の端部は、ブロック（８０）で支持され、前記ウォームネジ（８３）の回転、従って前記ホイール（１５）の回転を制御する手段により連結可能である外部に向いたピン（８４）を備えることを特徴とする請求項１に記載の装置。
【請求項３】
前記プレート（１３）と前記端末フランジ（１２）との間の接触面に、前記フランジ（１２）のゆがみを補償するのに適切な圧縮ファイバを有するパッキング（８５）を設けることを特徴とする請求項１に記載の装置。
【請求項４】
前記接触面に、起こり得る熱変化を補償するのに適切な電力を通す追加のＵ形パッキング（８６）を設けることを特徴とする請求項３に記載の装置。
【発明の詳細な説明】
【技術分野】
【０００１】
本発明は、フランジ管に対する管継手を連結および解除する装置に関する。
【０００２】
“継手”という用語は、本発明では、通常条件および緊急条件の両方で同一フランジを容易に接続し、安全かつ迅速に解除することが可能なフランジ用コネクタを意味する。
【背景技術】
【０００３】
石油製品の移送用の管を迅速に分離可能なように互いに接続するために利用される公知の管継手がある。石油製品の移送には、特に、船舶から陸地およびその逆、あるいは採取プラットフォームから船舶、あるいは船舶から船舶、あるいは船舶またはプラットフォームから海底の油井等への移送がある。
【０００４】
上記の継手は通常は管に対して永続的に連結されるが、継手の端部フランジをフックすることにより、継手を他の管に毎回接続することが必要である。２つの管は通常、互いに関して動作中の位置にあり、特に一方が陸地上で他方が船舶上にあるか、または船舶と船舶の間にある。
【０００５】
継手をフランジ管に安全かつ迅速に連結するのに利用可能な連結装置は、既に公知である。これらの１つは、例えばＭＩ２００３Ａ０００３６３で説明されてりおり、円の弦に沿ってカット部を有する円形のクランプホイールを円周上に並べたものを有する。カット部は接続プレートから軸方向に突出し、２つの位置の間で回転させられる。２つの位置のうち一方では、管のフランジがプレートに近づくことができるようにカット部の全てがプレートの軸に対して向けられ、２つの位置のうち他方ではホイールの螺旋ネック部が同一フランジをプレートに固定する。
【０００６】
極低温での製品移送用の管を利用する場合は、上記の公知の装置は接続に適しないことに気づくことが可能であった。特に温度に起因する熱収縮は、動作中の流体による振動と相まって、ホイールが与える締め付け力を減少させうる。
【発明の開示】
【発明が解決しようとする課題】
【０００７】
本発明の目的は、非常に低温での製品移送の場合でさえも安全で長時間持続する連結を可能とする前述の種類の装置を提供することである。
【課題を解決するための手段】
【０００８】
本発明によると、上記の目的は管継手をフランジ管に迅速に連結する装置で達成された。その装置は、フランジ管の端末フランジの前面に軸方向に接近可能であるように継手の一方の端部に堅固に固定された接続プレートと、それ自身の軸周りに回転して円周上の離れた位置で前記プレートから前面に突出するクランプホイールとを備える。各クランプホイールは連結器の軸に向く弦のある角度位置を可能にし、他の角度位置を全て防ぐように、円の弦に沿ったカット部を有する円形をなし、前記プレートおよび前記フランジが相互に近づき離れるための前記ホイール間にフランジ管のフランジの通路を設け、各クランプホイールはさらに前記プレートに向かって螺旋ネック部を有し、前記螺旋ネック部は前記ホイールが前記角度位置から前記他の角度位置へ回転する結果として前記プレートに対する前記フランジの前面当接嵌合及び締め付けを生ずるクランプホイールとを備え、各ホイールは前記プレートと一体となったブロックが支持する外部制御手段と接続可能な無端ピニオンネジユニットにより制御されることを特徴とする。
【０００９】
無端ピニオンネジユニットが、非常に低温の場合でさえも締め付け位置にホイールをより良くかつ長時間持続して保持することを保証することを検証することが可能である。
【００１０】
実際、無端ピニオンネジユニットは、ウォームネジが駆動するピニオンへの可逆移動を保証し、従って装置の開閉を可能とするが、ピニオンが駆動するウォームネジへの移動は保証しない。言い換えると、ウォームネジはホイールに接続されたギアを駆動することはできるが、ホイールはウォームネジにより制御される位置に一旦到達すると、ウォームネジが動作中になるまで前記位置に留まらなければならない。これは、温度減少および振動によって引き起こされる望ましくない動作に対する安全性を保証し、従ってフランジ管の完全で長時間の持続を保証する。
【００１１】
さらに、各ホイールに対して各々の無端ピニオンネジユニットが与えられるので、それらのうち１つの不正な動作は、外部負荷および圧力の点での性能を劣化させるが、連結の密閉性は悪化させない。
【００１２】
本発明の特徴は、その実施態様の以下の詳細な説明からより明らかとなるであろう。実施態様は、添付図面における非制限的な例として示す。
【発明を実施するための最良の形態】
【００１３】
図３に示すように、継手の一方の端部１が連結され、必要とするときは、（図３の点線で示した）第２の管３２のフランジ１２に連結される。
【００１４】
上記の目的のため、継手端部１は連結装置６０を支持し、連結装置６０は６個のクランプホイール１５を回転可能に支持するプレート１３を備え、クランプホイール１５は円周上に離れた位置でプレート１３の前面から軸方向に突出し、図６に示すように軸Ａはプレート１３に対する各々の直角Ｂと比較して若干傾いている。
【００１５】
各ホイール１５は、プレート１３と一体となった中空ブロック８０により支持される無端ピニオンネジユニット１９により制御され、ピニオン８１を備え、ホイール１５のステム８２に固定され、ホイール１５の１つと直角な軸を有するウォームネジ８３とかみ合う。
【００１６】
前記のウォームネジ８３はブロック８０により回転可能に支持され（図５−６）、外部に向けられた端部に２つの角ピン８４を有し、図に示していない外部制御手段に連結可能である。
【００１７】
図３に示すように、各クランプホイール１５は、円の弦に沿ったカット部２４を有する前面が丸い形態を有する。全てのカット部２４が連結軸に向けられるような角度位置にホイールがあるとき、第２の管の端末フランジ１２がホイール１５の間を通過してプレート１３に前面から近づき離れるように、カット部２４が作られる。ホイール１５が任意の他の角度位置にあるとき（図１および図２）、このように近づき離れることは不可能である。
【００１８】
図３に良く示すように、各クランプホイール１５は、前面の当接嵌合とプレート１３に対するフランジ１２の締め付けを引き起こすことが可能な螺旋ネック部２５を有する。
【００１９】
継手の端部１は最後に、圧縮ファイバとＵ形の“電力を通した”パッキング８６を有する従来のパッキング８５を収容するのに適切な丸い溝９０を備える。
【００２０】
迅速連結装置６０の動作方法は早速説明する。
【００２１】
カット部２４が継手軸に向けられ、無端ピニオンネジユニット１９がクランプホイール１５を連結に適当な角度位置に維持する間に、連結すべき管のフランジ１２はホイール１５のカット部２４を超えてプレート１３の近くに移動されなければならず、これは連結されるべき連結器および管の相対移動の存在下でもそうである。
【００２２】
フランジ１２がプレート１３に到達したとき、ウォームネジ８３は外部手段によりピン８４を通して駆動され、ピニオン８１の回転を誘起し、従って図３の角度位置に向かうホイール１５の回転を誘起する。
【００２３】
上記の回転の効果により、フランジ１２をプレート１３上に乗せ、それに対して固くクランプするように、ホイール１５の螺旋２５はフランジ１２とかみ合う（図３）。
【００２４】
ウォームネジ部８３とピニオン８１間のギア関係により、振動する場合および非常に低温での流体の移送の場合の両方で、安全で安定した連結を確立することができる。
【００２５】
パッキング８５は管理温度で動作し、パッキング８５によりフランジ１２の可能なゆがみを補償することができるが、Ｕ形のパッキング８６は大幅な熱変化の場合の密閉性を保証する。
【００２６】
プレートの嵌合は、継手の軸に直角で、従って螺旋２５の端末部とフランジ１２の背面との間で得ることができ、フランジ１２に働く応力がホイール１５を逆回転させることと、その結果として生じるフランジ１２とプレート１３との間のクランプ嵌合の緩みとを防止する。
【００２７】
単純で、安全かつ迅速な方法により、フランジ１２および関連する管に対する継手の安定かつ長時間持続する連結が得られる。
【００２８】
使用した無端ピニオンネジユニット１９によるメカニズムは、公知の水圧シリンダのメカニズムより確実に高い安全な性能を保証する。
【図面の簡単な説明】
【００２９】
【図１】本発明に従う連結／解除装置の不等角投影図である。
【図２】前記装置の平面図である。
【図３】図２の線III−IIIに従う立面図である。
【図４】図３の無端ピニオンネジユニットの拡大した詳細図である。
【図５】図４における詳細の左部分図である。
【図６】図４の底面図である。
【符号の説明】
【００３０】
１  端部
１２  端末フランジ
１３  接続プレート
１５  クランプホイール
１９  無端ピニオンネジユニット
２５  螺旋ネック部
８０  ブロック
８２  ステム
８３  ウォームネジ
８４  ピン
８５  パッキング
８６  Ｕ形パッキング
【図１】
2008525732.tif 000003
【図２】
2008525732.tif 000004
【図３】
2008525732.tif 000005
【図４】
2008525732.tif 000006
【図５】
2008525732.tif 000007
【図６】
2008525732.tif 000008
【国際調査報告】
2008525732.tif 000009
2008525732.tif 000010
2008525732.tif 000011